(57)【要約】【課題】複数のフェーダをグルーピングしてまとめて操作する場合、操作方向が反対になるようなフェーダについてもグルーピングして操作することができるようにすることを目的とする。【解決手段】複数のフェーダなどの操作子に対して、相反する動作方向を設定できるようにし、１本の操作子が操作されたとき、操作された操作子と同じ動作方向が設定されている他の操作子については、操作された操作子と同じ方向にその制御値を制御し、操作された操作子に設定されている動作方向と逆の動作方向が設定されている操作子については、操作された操作子と逆の方向にその制御値を制御するようにする。また一括操作子で複数チャンネルの制御値を制御する際、複数チャンネルのそれぞれに個別に正方向または逆方向の動作方向を設定し、同様に制御する。【選択図】　図４
2004048547.tif 000002
【特許請求の範囲】
【請求項１】
増加方向と減少方向の両方向にそれぞれ操作可能な複数の操作子を備えたレベル調整装置であって、
前記複数の操作子のそれぞれに個別に正方向または逆方向の動作方向を設定する手段と、
前記操作子のうちの１つが操作されたとき、前記操作された操作子に設定されている動作方向と同じ動作方向が設定されている他の操作子については、前記操作された操作子と同じ方向にその制御値を制御し、前記操作された操作子に設定されている動作方向と逆の動作方向が設定されている操作子については、前記操作された操作子と逆の方向にその制御値を制御するレベル制御手段と
を備えたことを特徴とするレベル調整装置。
【請求項２】
増加方向と減少方向の両方向にそれぞれ操作可能な複数の操作子を備えたレベル調整装置であって、
前記複数の操作子から任意に選択した幾つかの操作子について、そのそれぞれに個別に正方向または逆方向の動作方向を設定してグルーピングする手段と、
前記グルーピングした操作子のうちの１つが操作されたとき、前記操作された操作子に設定されている動作方向と同じ動作方向が設定されている当該グループ内の他の操作子については、前記操作された操作子と同じ方向にその制御値を制御し、前記操作された操作子に設定されている動作方向と逆の動作方向が設定されている当該グループ内の操作子については、前記操作された操作子と逆の方向にその制御値を制御するレベル制御手段と
を備えたことを特徴とするレベル調整装置。
【請求項３】
増加方向と減少方向の両方向にそれぞれ制御可能な複数チャンネルの制御値を制御するレベル調整装置であって、
複数チャンネルの制御値を一括して制御するための一括操作子と、
前記複数チャンネルのそれぞれに個別に正方向または逆方向の動作方向を設定する手段と、
前記一括操作子が操作されたとき、動作方向が正方向に設定されているチャンネルについては前記一括操作子の操作方向と同じ方向にその制御値を制御し、動作方向が逆方向に設定されているチャンネルについては前記一括操作子の操作方向と逆の方向にその制御値を制御するレベル制御手段と
を備えたことを特徴とするレベル調整装置。
【請求項４】
増加方向と減少方向の両方向にそれぞれ制御可能な複数チャンネルの制御値を制御するレベル調整装置であって、
複数の制御値をまとめて制御するための一括操作子と、
前記一括操作子に前記複数チャンネルから任意に選択した幾つかのチャンネルを割当てるとともに、割当てたチャンネルのそれぞれに個別に正方向または逆方向の動作方向を設定する手段と、
前記一括操作子が操作されたとき、その一括操作子に割当てられているチャンネルについて、動作方向が正方向に設定されているチャンネルについては前記一括操作子の操作方向と同じ方向にその制御値を制御し、動作方向が逆方向に設定されているチャンネルについては前記一括操作子の操作方向と逆の方向にその制御値を制御するレベル制御手段と
を備えたことを特徴とするレベル調整装置。
【発明の詳細な説明】
【０００１】
【発明の属する技術分野】
この発明は、多数のフェーダなどの操作子を備えた装置に適用して、複数の項目のレベル調整を一括して容易に行なうことができるレベル調整装置に関する。
【０００２】
【従来の技術】
従来より、コンサートや演劇などを行なう会場においては音響設備を集中的に制御するためのミキサ装置が用いられている。ミキサ装置には多数のフェーダなどの操作子が設けられ、これにより各チャンネルについて種々の項目のレベル調整を行なうことができる。特に、複数のフェーダを一括して増減することができるようにするため、フェーダのグルーピングを可能にしたものがある。これは、複数のフェーダを１つのグループとして定義しておき、そのグループの中の任意の１つのフェーダを操作したとき、グループ内の他のフェーダもその操作に同期して増減するようになっているものである。なお、各フェーダはモータが付属するいわゆるムービングフェーダである。
【０００３】
【発明が解決しようとする課題】
上述の複数のフェーダをグルーピングする技術では、同じ増減方向に操作されるべきフェーダについてはまとめて操作することができるので便利である。しかし、例えば音量をクロスフェードする場合など、２つのフェーダを逆方向に操作しなければならない場合があった。このような場合、従来の装置では、ユーザが増加方向に動かすフェーダと減少方向に動かすフェーダとを同時に逆方向に操作するしかなく、適正なクロスフェードを行なえないことがあった。
【０００４】
この発明は、上述の従来技術における問題点に鑑み、複数のフェーダをグルーピングしてまとめて操作する場合、操作方向が反対になるようなフェーダについてもグルーピングして操作することができるようにすることを目的とする。
【０００５】
【課題を解決するための手段】
上記の目的を達成するため、この発明は、複数のフェーダなどの操作子に対して、相反する動作方向を設定できるようにし、１本の操作子が操作されたとき、操作された操作子と同じ動作方向が設定されている他の操作子については、操作された操作子と同じ方向にその制御値を制御し、操作された操作子に設定されている動作方向と逆の動作方向が設定されている操作子については、操作された操作子と逆の方向にその制御値を制御するようにしたことを特徴とする。
【０００６】
また、一括操作子で複数チャンネルの制御値を制御する際、複数チャンネルのそれぞれに個別に正方向または逆方向の動作方向を設定し、一括操作子が操作されたとき、動作方向が正方向に設定されているチャンネルについては一括操作子の操作方向と同じ方向にその制御値を制御し、動作方向が逆方向に設定されているチャンネルについては一括操作子の操作方向と逆の方向にその制御値を制御することを特徴とする。
【０００７】
【発明の実施の形態】
以下、図面を用いてこの発明の実施の形態を説明する。
【０００８】
図１は、この発明のレベル調整装置を適用したシステムのブロック構成を示す。このシステムは、複数系統の入出力チャンネルを備えたディジタルミキサである。このミキサは、中央処理装置（ＣＰＵ）１０１、メモリ１０２、ディジタル信号処理装置（ＤＳＰ）１０３、入力ユニット１０４、出力ユニット１０５、ミキシングコンソール１０６、およびバスライン１０７を備える。ＣＰＵ１０１は、このミキサ全体の動作を制御する。メモリ１０２は、ＣＰＵ１０１が実行するプログラムや使用する各種のデータを記憶する。ＤＳＰ１０３は、入力ユニット１０４を介して入力する信号を、ＣＰＵ１０１からの指示に応じて適宜ミキシング処理し、出力ユニット１０５を介して出力する。入力ユニット１０４は、マイクロフォンなどから音響信号を入力し、アナログ／ディジタル変換して出力するＡＤ変換ボードを複数枚配設できるユニットである。出力ユニット１０５は、ＤＳＰ１０３から出力される信号をディジタル／アナログ変換してスピーカなどに出力するＤＡ変換ボードを複数枚配設できるユニットである。ミキシングコンソール１０６は、ユーザが操作するコンソールであり、外部パネル上には複数の操作子からなるコントローラ１１０およびディスプレイ１１３が備えられている。コントローラ１１０は、少なくとも複数の入力フェーダ１１１および複数のＤＣＡフェーダ１１２を備えている。複数の入力フェーダ１１１は、モータードライブ付きのムービングフェーダであり、つまみに触れるとドライブが切れて手動操作することができるものである。
【０００９】
図２は、図１のミキシングコンソール１０６上のフェーダの外観図である。２０１−１〜２０１−ｎは、それぞれ入力フェーダである。２０２は全体の音量レベルを調整するフェーダである。２１１，２１２は、ＤＣＡフェーダである。入力フェーダ２０１−１において、２０７は操作するためのつまみを示す。網掛けで示した２０８は、つまみ２０７を操作した後の状態を示す。フェーダ２０１−１の上部の２０３は、このフェーダのグルーピングの状態を表示する表示部（ＬＣＤ）である。同様に、２０４は、このフェーダのグルーピング時の動作の方向を表示する表示部である。他の入力フェーダ２０１−２〜２０１−ｎ，２０２も、その上部に同様のグルーピング状態表示部と動作方向表示部を備えている。
【００１０】
このミキサ装置では、これらの各入力フェーダを任意にグルーピングすることができる。例えばフェーダ２０１−１〜２０１−３は、グループ１に設定されているので、上部のグルーピング状態表示部に「ＧＲＰ１」と表示されている。また、入力フェーダ２０１−ｎ−１，２０１−ｎは、グループｊに設定されているので、グルーピング状態表示部に「ＧＲＰｊ」と表示されている。
【００１１】
グルーピングを設定するとき、各フェーダに動作方向を設定することができる。例えばグループ１の中で、フェーダ２０１−１と２０１−２は動作方向が正方向に設定されているので、動作方向表示部に「ＮＯＲＭＡＬ」と表示されている。入力フェーダ２０１−３は、グループ１の中で動作方向が逆方向に設定されているので、動作方向表示部に「ＩＮＶＥＲＳＥ」と表示されている。動作方向が逆方向に設定されているフェーダは、正方向のフェーダとは逆方向に動作する。例えば、グループ１のフェーダ２０１−１のつまみ２０７を下方向（減少方向）に２０８の位置まで操作すると、フェーダ２０１−２は同様に同じ方向すなわち下方向に自動的に動作し、フェーダ２０１−３はその逆の方向（上方向）に自動的に動作する。もちろん、グルーピングされているどのフェーダを操作してもよいし、その操作方向も任意である。逆方向に設定されているフェーダを操作してもよい。例えば、逆方向に設定されているフェーダ２０１−３を操作すると、正方向に設定されているフェーダ２０１−１，２０１−２は、フェーダ２０１−３の操作の方向とは逆向きに自動的に動作することになる。
【００１２】
さらに、このミキサ装置では、ＤＣＡ操作子２１１，２１２のそれぞれに任意の複数の入力フェーダの出力を割り当て、それら複数の入力フェーダによりレベル制御された各チャンネルの信号に対してＤＣＡ操作子により一括して同率のゲインでレベル制御できる。この際、グルーピングの場合と同様に、割当てたチャンネルごとに正方向と逆方向の設定ができる。例えば、ＤＣＡフェーダ２１１に、入力フェーダ２０１−２と２０１−ｎ−１のチャンネルを割り当てて、それぞれ正方向（ＮＯＲＭＡＬ）と逆方向（ＩＮＶＥＲＳＥ）に設定できる。なお、ＤＣＡを通さずにスルーで後段にフェーダ出力を出すこともできる。
【００１３】
図３（ａ）は、ＤＣＡ操作子に対する入力フェーダ出力のアサイン例を示す。ＩＦ１〜ＩＦｎはそれぞれ図２で説明した入力フェーダ２０１−１〜２０１−ｎに対応する。これらの入力フェーダの出力はそれぞれ個別に取り出されて利用される（例えば矢印３０２）。ＤＣＡアサイナ３０１は、各入力フェーダからの出力のチャンネルを任意にＤＣＡ１またはＤＣＡ２に割り当てる。図３のＤＣＡ１およびＤＣＡ２は、図２のＤＣＡ操作子２１１および２１２に相当する。これらのＤＣＡ操作子を操作することにより、そのＤＣＡ操作子に割り当てられている入力フェーダからの信号が一括して同率ゲインでレベル制御され、ＤＣＡ出力ＤＣＡＯＵＴ１−１〜ＤＣＡＯＵＴ１−ｋあるいはＤＣＡＯＵＴ２−１〜ＤＣＡＯＵＴ２−ｋを得ることができる。
【００１４】
図３（ｂ）は、ＤＣＡのアサインの状態を示すアサインテーブルである。ＤＣＡ　ＣＨはＤＣＡ操作子を特定するＩＤ（識別子）である。ＤＣＡ　ＣＨ＝１がＤＣＡ１に、ＤＣＡ　ＣＨ＝２がＤＣＡ２に対応する。ＡＳＳＩＧＮＥＤ　ＩＮＰＵＴ　ＣＨは、各ＤＣＡ　ＣＨに割り当てられた入力チャンネルを示す。入力チャンネルは、入力フェーダのフェーダ番号（１〜ｎ）に対応させて記載した。各入力フェーダのＤＣＡ操作子への割り当てに対し、入力チャンネルごとに正方向か逆方向かを指定できる。アサインテーブルのＮＭＬ／ＩＮＶはその方向を示す。ＮＯＲＭＡＬは正方向、ＩＮＶＥＲＳＥは逆方向を示す。
【００１５】
例えば、図３の設定の例では入力フェーダＩＦ２とＩＦｎ−１のチャンネルがＤＣＡ操作子ＤＣＡ１に割り当てられ、入力フェーダＩＦ２はＮＯＲＭＡＬ、入力フェーダＩＦｎ−１はＩＮＶＥＲＳＥに設定されているので、ＤＣＡ１を増加方向に操作すると、入力フェーダＩＦ２からの信号は同時に増加方向に制御され、入力フェーダＩＦｎ−１からの信号は逆方向にすなわち減少方向に制御される。なお、ＤＣＡ操作子の操作によるレベル制御出力は個々の入力フェーダの個別の出力とは別に使用されるものであり、ＤＣＡ操作子の操作により入力フェーダが自動的に動くことはない。以上のようなＤＣＡアサイナ３０１およびＤＣＡ操作子の操作によるレベル制御は図１のＤＳＰ１０３により実現されている。
【００１６】
図４は、いずれかの入力フェーダが操作されたときの入力フェーダグループ処理のフローチャートを示す。ステップ４０１で、フェーダ操作があるか否かスキャン処理を行なう。フェーダ操作イベントがあるときは、ステップ４０２から４０３に進み、操作されたフェーダｘがグループ設定されているか否か判定する。グループ設定されていないものであるときは、ステップ４０４で、そのフェーダｘの制御値ＦＡＤＥＲｘに操作量ΔＦＡＤＥＲを加算する。ステップ４０３でフェーダｘがグループ設定されているものであるときは、ステップ４０５で、そのフェーダｘが含まれるグループ内のフェーダ番号から最初のフェーダ番号を変数ｉに代入する。ステップ４０６で、そのフェーダｉに設定されている方向を判定する。正方向（ＮＯＲＭＡＬ）であるときは、ステップ４０８で、そのフェーダｉの制御値ＦＡＤＥＲｉに操作量ΔＦＡＤＥＲを加算する。逆方向（ＩＮＶＥＲＳＥ）が設定されているときは、ステップ４０７で、そのフェーダｉの制御値ＦＡＤＥＲｉから操作量ΔＦＡＤＥＲを減算する。ステップ４０７，４０８の後、ステップ４０９で、グループ内の全フェーダについて処理を終了したか判定し、未処理のものが残っているときは、ステップ４１０で変数ｉにグループ内の次のフェーダ番号を設定して、ステップ４０６に戻る。ステップ４０９でグループ内の全フェーダについての処理が終了したら、本処理を終了する。
【００１７】
なお、フェーダの制御値とは、操作に応じて決定されるフェーダの設定値であり、所定のバッファにセットされるデータである。実際には、フェーダに割当てられている信号にそのフェーダの制御値を乗算することにより、そのフェーダによるレベル制御がなされることになる。フェーダの制御値は、取りうる値の範囲が決まっているので、上限または下限に達したら、そこで飽和するものとする。
【００１８】
また、フェーダの操作量ΔＦＡＤＥＲは、そのフェーダに設定されている方向に応じて符号を変えるものとする。ＮＯＲＭＡＬに設定されているフェーダの操作量ΔＦＡＤＥＲは、増加方向に操作されたときは正値、減少方向に操作されたときは負値とする。ＩＮＶＥＲＳＥに設定されているフェーダの操作量ΔＦＡＤＥＲは、増加方向に操作されたときは負値、減少方向に操作されたときは正値とする。これにより、ＩＮＶＥＲＳＥ設定のフェーダが増加方向に操作されたとき、その操作量ΔＦＡＤＥＲは負値であるので、ＩＮＶＥＲＳＥ設定のフェーダについてはステップ４０７で増加方向に制御され、ＮＯＲＭＡＬ設定のフェーダについてはステップ４０８で減少方向に制御される。逆に、ＩＮＶＥＲＳＥ設定のフェーダが減少方向に操作されたとき、その操作量ΔＦＡＤＥＲは正値であるので、ＩＮＶＥＲＳＥ設定のフェーダについてはステップ４０７で減少方向に制御され、ＮＯＲＭＡＬ設定のフェーダについてはステップ４０８で増加方向に制御される。以上のようにして、ＮＯＲＭＡＬ設定かＩＮＶＥＲＳＥ設定かにかかわらず、操作方向とフェーダの制御値の増加減少方向が一致するようにしている。
【００１９】
図５は、ＤＣＡフェーダの処理のフローチャートを示す。ステップ５０１でＤＣＡフェーダの操作があるか否かスキャン処理を行なう。ステップ５０２でＤＣＡフェーダの操作イベントがあるときは、ステップ５０３でそのＤＣＡの処理チャンネルはグループ設定されているか否か、すなわち図３で説明したように、そのＤＣＡに複数の入力フェーダの信号がアサインされているか否か判定する。グループ設定されていないときは、すべてのチャンネルについてＤＣＡフェーダによる制御を行なうものとし、ステップ５０４でＤＣＡフェーダの制御値ＤＣＡＦＡＤＥＲに操作量ΔＤＣＡＦＡＤＥＲを加算して、その加算結果をすべてのチャンネルの信号に対する乗算係数としてレベル制御を行なう。通常は、ＤＣＡのゲインは各チャンネルで共通とするからである。
【００２０】
なお、ＤＣＡフェーダの制御値とは、操作に応じて決定されるＤＣＡフェーダの設定値であり、所定のバッファにセットされるデータである。実際には、各チャンネルの信号にＤＣＡフェーダの制御値を乗算することにより、ＤＣＡフェーダによるレベル制御がなされることになる。また、ＤＣＡフェーダの操作量ΔＤＣＡＦＡＤＥＲは、増加方向に操作されたときは正値、減少方向に操作されたときは負値とする。
【００２１】
ステップ５０３でグループ設定されているときは、ステップ５０５で、変数ｉにそのグループ内のチャンネル番号（フェーダ番号）の初期値を代入する。ステップ５０６で、そのチャンネルＣＨｉはＩＮＶＥＲＳＥ設定されているか否か判定する。ＮＯＲＭＡＬ設定のときは、ステップ５０８で、そのチャンネルＣＨｉの乗算係数としてＤＣＡフェーダの制御値ＤＣＡＦＡＤＥＲに操作量ΔＤＣＡＦＡＤＥＲを加算した値をセットする。ＩＮＶＥＲＳＥ設定のときは、ステップ５０７で、そのチャンネルＣＨｉの乗算係数としてＤＣＡフェーダの制御値ＤＣＡＦＡＤＥＲから操作量ΔＤＣＡＦＡＤＥＲを減算した値をセットする。
【００２２】
ステップ５０７，５０８の後、ステップ５０９で、そのグループ内の全チャンネルについて処理を終了したか否か判定し、未処理のものが残っていたら、ステップ５１０で変数ｉに次のチャンネル番号をセットして、ステップ５０６に戻る。グループ内の全チャンネルについて処理終了したら、ステップ５１１で、グループ外のＤＣＡチャンネルの乗算係数についてＤＣＡ操作子の操作に応じた制御を行ない、処理を終了する。なおステップ５１１は、省略してもよい。
【００２３】
上記実施の形態によれば、フェーダをグルーピングしそれぞれ正方向か逆方向かを設定することにより、１つのフェーダの操作だけで、クロスフェードが簡単に行なえる。なお、増減の割合は任意である。例えば、フェーダに所定のチャンネルを割当てたときのフェーダのレベルが記憶され、それをもとにｄＢレベルでクロスフェードすればよい。オプションとして、何ｄＢでクロスするかや、クロスフェードのカーブ（ｄＢで見てリニア、ＳＩＮＥ（正弦波）カーブ、逆ＳＩＮＥカーブ）を選択できるようにしてもよい。
【００２４】
また上記実施の形態では、操作子としてフェーダを例に説明したが、本発明は他の操作子でも適用可能である。
【００２５】
【発明の効果】
以上説明したように、この発明によれば、複数のフェーダなどの操作子に対して、相反する動作の方向を設定し、１本の操作子を操作することにより相反する方向に制御値を制御するようにしたので、１本の操作子の操作だけで簡単にかつ適正なクロスフェードが行なえる。また、複数のチャンネルに対して個別に相反する動作方向を設定し、一括操作子を操作することにより相反する方向に制御値を制御するようにしたので、一括操作子の操作だけで簡単にかつ適正なクロスフェードが行なえる。
【図面の簡単な説明】
【図１】この発明のレベル調整装置を適用したシステムのブロック構成図
【図２】ミキシングコンソール上のフェーダの外観図
【図３】ＤＣＡ操作子のアサイン例を示すブロック図とテーブル図
【図４】入力フェーダグループ処理のフローチャート図
【図５】ＤＣＡフェーダ処理のフローチャート図
【符号の説明】
１０１‥中央処理装置（ＣＰＵ）、１０２‥メモリ、１０３‥ディジタル信号処理装置（ＤＳＰ）、１０４‥入力ユニット、１０５‥出力ユニット、１０６‥ミキシングコンソール、１１０‥コントローラ、１１１‥入力フェーダ、１１２‥ＤＣＡフェーダ、１１３‥ディスプレイ。
【図１】
2004048547.tif 000003
【図２】
2004048547.tif 000004
【図３】
2004048547.tif 000005
【図４】
2004048547.tif 000006
【図５】
2004048547.tif 000007